(57)【特許請求の範囲】
【請求項１】
車両のエンジン（４０）に供給される空気をインタークーラ冷却水にて冷却する水冷インタークーラ（６）と、
前記車両の車室内を空調する車両用空調装置の凝縮器（２）と、
前記凝縮器（２）を流れる風の後流側に配置され、前記インタークーラ冷却水が流れるメイン低温ラジエータ（３）と、
前記メイン低温ラジエータ（３）を流れる風の後流側に配置され、前記エンジン（４０）を冷却するエンジン冷却水が流れる高温ラジエータ（４）と、
前記凝縮器（２）を通過しない風と熱交換して前記インタークーラ冷却水を冷却するサブ低温ラジエータ（１）と、
前記水冷インタークーラ（６）、前記サブ低温ラジエータ（１）、前記メイン低温ラジエータ（３）を順に一巡して構成される低温水回路（７）と、
前記低水温回路（７）に設けられ、前記サブ低温ラジエータ（１）から前記メイン低温ラジエータ（３）をバイパスして前記水冷インタークーラ（６）に前記インタークーラ冷却水を戻す流路と、前記サブ低温ラジエータ（１）から前記メイン低温ラジエータ（３）を通過して前記水冷インタークーラ（６）に前記インタークーラ冷却水を戻す流路とを切替える流路切替弁（９）と、
前記流路切替弁（９）を制御する制御手段（１０）と、を備えたことを特徴とする車両用冷却装置。
【請求項２】
前記制御手段（１０）は、性能判定手段（ステップＳ２、Ｓ４２）と、温度判定手段（ステップＳ３、Ｓ４３）とを備え、
前記性能判定手段（ステップＳ２、Ｓ４２）は、前記高温ラジエータ（４）の冷却性能の余裕度合いを判定して、前記冷却性能の余裕がある場合と余裕が無い場合とを判定し、
前記温度判定手段（ステップＳ３、Ｓ４３）は、前記メイン低温ラジエータ（３）に前記インタークーラ冷却水を流した場合と流さずに前記メイン低温ラジエータ（３）をバイパスして前記インタークーラ冷却水を流した場合との前記メイン低温ラジエータ（３）の温度状態を判定し、
前記性能判定手段（ステップＳ２、Ｓ４２）と前記温度判定手段（ステップＳ３、Ｓ４３）との判定結果に基づいて、前記制御手段（１０）が前記流路切替弁（９）を制御することを特徴とする請求項１に記載の車両用冷却装置。
【請求項３】
更に、前記エンジン冷却水の温度（ＴｗＥ）を実測または推定するエンジン冷却温度決定手段（ステップＳ１）を有し、
前記性能判定手段（ステップＳ２、Ｓ４２）は、前記エンジン冷却温度決定手段により決定された前記エンジン冷却水の温度（ＴｗＥ）が、予め定めた所定エンジン冷却水温度（ＴｗＥｐ）より高い場合に、前記高温ラジエータ（４）の冷却性能に余裕が無いと判定し、前記エンジン冷却温度決定手段により決定された前記エンジン冷却水の温度（ＴｗＥ）が、前記所定エンジン冷却水温度（ＴｗＥｐ）以下の場合に、前記高温ラジエータ（４）の冷却性能に余裕が有ると判定することを特徴とする請求項２に記載の車両用冷却装置。
【請求項４】
前記温度判定手段（ステップＳ３、Ｓ４３）は、前記メイン低温ラジエータ（３）前の空気温度の測定値または推定値（Ｔａ１）と、前記サブ低温ラジエータ（１）を通過した前記サブ低温ラジエータ（１）の出口水温（Ｔｗ２）との比較により、前記メイン低温ラジエータ（３）に前記インタークーラ冷却水を流した場合と流さずに前記メイン低温ラジエータ（３）をバイパスして前記インタークーラ冷却水を流した場合との前記メイン低温ラジエータ（３）の温度状態を判定することを特徴とする請求項２または３に記載の車両用冷却装置。
【請求項５】
前記性能判定手段（ステップＳ２、Ｓ４２）が、前記高温ラジエータ（４）の冷却性能に余裕が無いと判定した場合において、
前記制御手段（１０）は、前記メイン低温ラジエータ（３）前の空気温度の測定値または推定値（Ｔａ１）の方が、前記サブ低温ラジエータ（１）を通過した前記サブ低温ラジエータ（１）の出口水温（Ｔｗ２）よりも大きい場合に、前記サブ低温ラジエータ（１）から前記メイン低温ラジエータ（３）を介して前記水冷インタークーラ（６）に前記インタークーラ冷却水を戻すことを特徴とする請求項４に記載の車両用冷却装置。
【請求項６】
前記性能判定手段（ステップＳ２、Ｓ４２）が、前記高温ラジエータ（４）の冷却性能に余裕が無いと判定した場合において、
前記制御手段（１０）は、前記メイン低温ラジエータ（３）前の空気温度の測定値または推定値（Ｔａ１）の方が、前記サブ低温ラジエータ（１）を通過した前記サブ低温ラジエータ（１）の出口水温（Ｔｗ２）以下である場合に、前記サブ低温ラジエータ（１）から前記メイン低温ラジエータ（３）をバイパスして前記水冷インタークーラ（６）に前記インタークーラ冷却水を戻すことを特徴とする請求項４に記載の車両用冷却装置。
【請求項７】
前記性能判定手段（ステップＳ２、Ｓ４２）が、前記高温ラジエータ（４）の冷却性能に余裕が有ると判定した場合において、
前記制御手段（１０）は、前記メイン低温ラジエータ（３）前の空気温度の測定値または推定値（Ｔａ１）の方が、前記サブ低温ラジエータ（１）を通過した前記サブ低温ラジエータ（１）の出口水温（Ｔｗ２）より小さい場合に、前記メイン低温ラジエータ（３）による前記インタークーラ冷却水の冷却が確保できる場合であると判定し、前記サブ低温ラジエータ（１）から前記メイン低温ラジエータ（３）を介して前記水冷インタークーラ（６）に前記インタークーラ冷却水を戻すことを特徴とする請求項４に記載の車両用冷却装置。
【請求項８】
前記性能判定手段（ステップＳ２、Ｓ４２）が、前記高温ラジエータ（４）の冷却性能に余裕が有ると判定した場合において、
前記制御手段（１０）は、前記メイン低温ラジエータ（３）前の空気温度の測定値または推定値（Ｔａ１）が、前記サブ低温ラジエータ（１）を通過した前記サブ低温ラジエータ（１）の出口水温（Ｔｗ２）以上である場合に、前記メイン低温ラジエータ（３）による前記インタークーラ冷却水の冷却が確保し難い場合であると判定し、前記サブ低温ラジエータ（１）から前記メイン低温ラジエータ（３）をバイパスして前記水冷インタークーラ（６）に前記インタークーラ冷却水を戻すことを特徴とする請求項４に記載の車両用冷却装置。
【請求項９】
前記温度判定手段（ステップＳ３、Ｓ４３）は、前記メイン低温ラジエータ（３）を通過した前記メイン低温ラジエータ（３）の出口水温（Ｔｗ３）と、前記サブ低温ラジエータ（１）を通過した前記サブ低温ラジエータ（１）の出口水温（Ｔｗ２）の大きさの比較により、前記メイン低温ラジエータ（３）に前記インタークーラ冷却水を流した場合と流さずに前記メイン低温ラジエータ（３）をバイパスして前記インタークーラ冷却水を流した場合との前記メイン低温ラジエータ（３）の温度状態を判定することを特徴とする請求項２または３に記載の車両用冷却装置。
【請求項１０】
前記性能判定手段（ステップＳ２、Ｓ４２）が、前記高温ラジエータ（４）の冷却性能に余裕が無いと判定した場合において、
前記制御手段（１０）は、前記メイン低温ラジエータ（３）を通過した前記メイン低温ラジエータ（３）の出口水温（Ｔｗ３）の方が、前記サブ低温ラジエータ（１）を通過した前記サブ低温ラジエータ（１）の出口水温（Ｔｗ２）よりも大きい場合に、前記サブ低温ラジエータ（１）から前記メイン低温ラジエータ（３）を介して前記水冷インタークーラ（６）に前記インタークーラ冷却水を戻すことを特徴とする請求項９に記載の車両用冷却装置。
【請求項１１】
前記性能判定手段（ステップＳ２、Ｓ４２）が、前記高温ラジエータ（４）の冷却性能に余裕が無いと判定した場合において、
前記制御手段（１０）は、前記メイン低温ラジエータ（３）を通過した前記メイン低温ラジエータ（３）の出口水温（Ｔｗ３）の方が、前記サブ低温ラジエータ（１）を通過した前記サブ低温ラジエータ（１）の出口水温（Ｔｗ２）以下である場合に、前記サブ低温ラジエータ（１）から前記メイン低温ラジエータ（３）をバイパスして前記水冷インタークーラ（６）に前記インタークーラ冷却水を戻すことを特徴とする請求項９に記載の車両用冷却装置。
【請求項１２】
前記性能判定手段（ステップＳ２、Ｓ４２）が、前記高温ラジエータ（４）の冷却性能に余裕が有ると判定した場合において、
前記制御手段（１０）は、前記メイン低温ラジエータ（３）の出口水温（Ｔｗ３）の方が、前記サブ低温ラジエータ（１）を通過した前記サブ低温ラジエータ（１）の出口水温（Ｔｗ２）より小さい場合に、前記メイン低温ラジエータ（３）による前記インタークーラ冷却水の冷却が確保できる場合であると判定し、前記サブ低温ラジエータ（１）から前記メイン低温ラジエータ（３）を介して前記水冷インタークーラ（６）に前記インタークーラ冷却水を戻すことを特徴とする請求項９に記載の車両用冷却装置。
【請求項１３】
前記性能判定手段（ステップＳ２、Ｓ４２）が、前記高温ラジエータ（４）の冷却性能に余裕が有ると判定した場合において、
前記制御手段（１０）は、前記メイン低温ラジエータ（３）を通過した前記メイン低温ラジエータ（３）の出口水温（Ｔｗ３）が、前記サブ低温ラジエータ（１）を通過した前記サブ低温ラジエータ（１）の出口水温（Ｔｗ２）以上である場合に、前記メイン低温ラジエータ（３）による前記インタークーラ冷却水の冷却性能が確保し難い場合であると判定し、前記サブ低温ラジエータ（１）から前記メイン低温ラジエータ（３）をバイパスして前記水冷インタークーラ（６）に前記インタークーラ冷却水を戻すことを特徴とする請求項９に記載の車両用冷却装置。
【発明の詳細な説明】
【技術分野】
【０００１】
本発明はエンジンに供給する空気を冷却するインタークーラを備えた車両に用いる車両用冷却装置に関する。
【背景技術】
【０００２】
従来、特許文献１に記載の自動車用冷却ラジエータが知られている。この特許文献１に記載の車両は過給された空気を吸入する水冷式の内燃機関（エンジンとも言う）と車両用空調装置を備えている。エンジンの前方には、３個の冷却器（ラジエータともいう）が設けられている。この冷却器は車両用空調装置のための凝縮器と、エンジン冷却水のための冷却器である高温ラジエータ４と、インタークーラを冷却する冷却流体のための冷却器（再クーラまたは低温ラジエータと言う）とから成る。
【０００３】
しかし、近年においてはインタークーラを冷却する要求が更に高まり、以下に述べる構造が、文献としては見出されていないものの、実際の車両に搭載されて実用化されている。この構成を、図１１〜図１３に基づいて説明する。
【０００４】
この実用化されている車両は、冷却装置として、車両のフロント部にエンジンクーリングモジュール（ＥＣＭ；Ｅｎｇｉｎｅ  Ｃｏｏｌｉｎｇ  Ｍｏｄｕｌｅとも言う）が配置されている。インタークーラ（Ｃｈａｒｇｅ  Ａｉｒ  ｃｏｏｌｅｒ）は水冷式であり、以下においてＷＣＡＣと略称することもある。
【０００５】
このＷＣＡＣを備えた従来の車両の一つは、エンジン４０を冷却するエンジン冷却回路とは独立した低水温回路７を持っている。図１１は、上記従来の車両におけるＥＣＭの配置を示している。図１２は、図１１の従来の構成における低温水回路７内の流れを示している。また、図１３は、図１１の構成における具体的なインタークーラ冷却水の流れを示している。
【０００６】
図１１に示すように、車両前方から順に凝縮器２、ＷＣＡＣ用のメイン低温ラジエータ３、エンジン冷却用の高温ラジエータ４、冷却ファン５が配置されている。更に、メイン低温ラジエータ３の性能を補うために、車両のタイヤハウス前に１つまたは複数のサブ低温ラジエータ１を搭載している。
【先行技術文献】
【特許文献】
【０００７】
【特許文献１】特開昭６３−１６２３２８号公報
【発明の概要】
【発明が解決しようとする課題】
【０００８】
上記ＥＣＭの低水温回路７の水流れは、図１２および図１３に示すように、メイン低温ラジエータ３、サブ低温ラジエータ１、水冷インタークーラ６ａ、６ｂ（まとめて水冷インタークーラ６とも言う）の順で流れている。水冷インタークーラ６は、図１３のように２つの並列接続された水冷インタークーラ６ａ、６ｂから成る。低水温回路７にはリザーブタンク７１とウォータポンプ７２とが接続されている。２つの３気筒をＶ型に配置したエンジン４０は上述のように二つの並列に接続された水冷インタークーラ６ａ、６ｂを有する。
【０００９】
図１１の構成は、加速レスポンスの悪化を防止するためのインタークーラ冷却水の流れを形成していると推定される。特許文献１のような構成では、主に市街地走行やアイドル時では、車両用空調装置が装備されていると、凝縮器２の放熱によりメイン冷温ラジエータ３前の空気温が上昇する。そのためエンジン４０の吸気冷却性能が維持できず車両の加速レスポンスが悪化する。
【００１０】
つまり、メイン冷温ラジエータ３の出口水温が下がらず、その結果、水冷インタークーラ６に低温の冷却水が供給されず、車両加速時に充分な吸気冷却ができず、加速レスポンスが悪化するといった課題がある。これに対し、図１１、図１２の冷却回路は、メイン低温ラジエータ３の横に外気が矢印Ｙ１１のように流れるサブ低温ラジエータ１を設けて冷却水を冷やすため、車両用空調装置の熱負荷（凝縮器２の放熱量）の影響を受けにくくなる。
【００１１】
このように、現在実用化され公用されている図１１ないし図１３の構成は、上述の効果を発揮するが、今後、より高い排気量の過給機付のエンジン４０が用いられると、低温ラジエータ１、３の熱負荷を決定する過給気の流量がより多くなる。これにより、低温ラジエータ１、３の放熱量が上がり、エンジン冷却用の高温ラジエータ４前における空気温が上昇することで、エンジン冷却性能の確保が困難となり、所望の性能達成が破綻するおそれがある。
【００１２】
以上まとめると、凝縮器２の放熱によりメイン冷温ラジエータ３前の空気温が上昇する。そのためエンジン４０の吸気冷却性能が維持できず車両の加速レスポンスが悪化する。つまり、メイン冷温ラジエータ３の出口水温が下がらず、その結果、水冷インタークーラ６に低温の冷却水が供給されず、車両加速時に充分な吸気冷却ができず、車両の加速レスポンスが悪化する。
【００１３】
より高い排気量の過給機付のエンジン４０が用いられると、低温ラジエータ１、３の熱負荷を決定する過給気の流量が多くなる。これにより、低温ラジエータ１、３の放熱量が上がり、エンジン冷却用の高温ラジエータ４前の空気温が上昇することで、エンジン冷却性能確保が困難となり、所望の性能達成が破綻するおそれがある。
【００１４】
本発明は、高温ラジエータの冷却性能を確保すると共に、車両用空調装置作動時の加速レスポンスおよび吸気冷却性能を維持することができる車両用冷却装置を得ることを目的とする。
【００１５】
従来技術として列挙された特許文献の記載内容は、この明細書に記載された技術的要素の説明として、参照によって導入ないし援用することができる。
【課題を解決するための手段】
【００１６】
本発明は上記目的を達成するために、下記の技術的手段を採用する。すなわち、本発明のひとつの車両用冷却装置は、車両のエンジン（４０）に供給される空気をインタークーラ冷却水にて冷却する水冷インタークーラ（６）と、車両の車室内を空調する車両用空調装置の凝縮器（２）とを備える。かつ、凝縮器（２）を流れる風の後流側に配置されインタークーラ冷却水が流れるメイン低温ラジエータ（３）と、メイン低温ラジエータ（３）を流れる風の後流側に配置されエンジン（４０）を冷却するエンジン冷却水が流れる高温ラジエータ（４）とを備える。また、凝縮器（２）を通過しない風と熱交換してインタークーラ冷却水を冷却するサブ低温ラジエータ（１）と、水冷インタークーラ（６）、サブ低温ラジエータ（１）、メイン低温ラジエータ（３）を順に一巡して構成される低温水回路（７）とを備える。更に、低水温回路（７）に設けられ、サブ低温ラジエータ（１）からメイン低温ラジエータ（３）をバイパスして水冷インタークーラ（６）にインタークーラ冷却水を戻す流路と、サブ低温ラジエータ（１）からメイン低温ラジエータ（３）を通過して水冷インタークーラ（６）にインタークーラ冷却水を戻す流路とを切替える流路切替弁（９）を備える。なおかつ、流路切替弁（９）を制御する制御手段（１０）を備える。
【００１７】
この発明においては、メイン低温ラジエータ（３）の風流れ後方に高温ラジエータ（４）が配置されているため、メイン低温ラジエータ（３）の温度状態が高温に成ると、後方の高温ラジエータ（４）の性能が発揮されない。そこで、水冷インタークーラ（６）を流れる冷却水がサブ低温ラジエータ（１）を通り、メイン低温ラジエータ（３）をバイパスするように流す構成を採用している。これにより、高排気量の過給機付のエンジン（４０）が使用された場合等でも、水冷インタークーラ（６）を流れる冷却水がサブ低温ラジエータ（１）を通り、メイン低温ラジエータ（３）をバイパスする。よって、メイン低温ラジエータ（３）が高温にならない。従って、高温ラジエータ（４）の冷却性能を確保できる。また、凝縮器（２）に妨げられない風を受けてインタークーラ冷却水を冷却するサブ低温ラジエータ（１）を設けて冷却水を冷やしている。そのため、車両用空調装置の熱負荷の影響を受けにくくなり、車両用空調装置が作動して凝縮器（２）の温度が上昇した場合においても、加速レスポンスおよび吸気冷却性能を維持することができる。
【００１８】
次に、本発明の一つでは、制御手段（１０）は、性能判定手段（ステップＳ２、Ｓ４２）と、温度判定手段（ステップＳ３、Ｓ４３）とを備える。性能判定手段（ステップＳ２、Ｓ４２）は、高温ラジエータ（４）の冷却性能の余裕度合いを判定して冷却性能の余裕がある場合と余裕が無い場合とを判定する。温度判定手段（ステップＳ３、Ｓ４３）は、メイン低温ラジエータ（３）にインタークーラ冷却水を流した場合と流さずにメイン低温ラジエータ（３）をバイパスしてインタークーラ冷却水を流した場合とのメイン低温ラジエータ（３）の温度状態を判定する。そして、性能判定手段（ステップＳ２、Ｓ４２）と温度判定手段（ステップＳ３、Ｓ４３）との判定結果に基づいて、制御手段（１０）が流路切替弁（９）を制御する。
【００１９】
この発明においては、高温ラジエータ（４）に関して冷却性能の余裕がある場合と余裕がない場合とを判定することができる。また、メイン低温ラジエータ（３）にインタークーラ冷却水を流した場合と、バイパスして流さなかった場合とのメイン低温ラジエータ（３）の温度状態、ひいては高温ラジエータ（４）前の空気温度またはインタークーラ冷却水の温度を判定することができる。それにより、高温ラジエータ（４）の冷却性能判定結果とメイン低温ラジエータ（３）の温度判定結果に基づいて、流路切替弁（９）を制御して、高温ラジエータ（４）の冷却性能の余裕の有無に合致したインタークーラ冷却水の流れを形成できる。
【００２０】
次に、本発明の一つにおいては、更に、エンジン冷却水の温度（ＴｗＥ）を実測または推定するエンジン冷却温度決定手段となるステップ（Ｓ１）を有する。性能判定手段（ステップＳ２、Ｓ４２）は、エンジン冷却温度決定手段により決定されたエンジン冷却水の温度（ＴｗＥ）が、予め定めた所定エンジン冷却水温度（ＴｗＥｐ）より高い場合に、高温ラジエータ（４）の冷却性能に余裕が無いと判定する。一方、エンジン冷却温度決定手段により決定されたエンジン冷却水の温度（ＴｗＥ）が、所定エンジン冷却水温度（ＴｗＥｐ）以下の場合に、高温ラジエータ（４）の冷却性能に余裕が有ると判定する。
【００２１】
これによれば、エンジン冷却温度決定手段により決定されたエンジン冷却水の温度（ＴｗＥ）と、予め定めた所定エンジン冷却水温度（ＴｗＥｐ）との比較を行う。そして、この比較により容易に高温ラジエータ（４）の冷却性能に余裕が無い場合と、冷却性能に余裕が有る場合とを判定ことができる。
【００２２】
次に、次に、本発明の一つにおいては、温度判定手段（ステップＳ３、Ｓ４３）は、メイン低温ラジエータ（３）前の空気温度の測定値または推定値（Ｔａ１）と、サブ低温ラジエータ（１）を通過したサブ低温ラジエータ（１）の出口水温（Ｔｗ２）とを比較する。この比較により、メイン低温ラジエータ（３）にインタークーラ冷却水を流した場合と流さずにメイン低温ラジエータ（３）をバイパスしてインタークーラ冷却水を流した場合とのメイン低温ラジエータ（３）の温度状態を判定する。
【００２３】
この発明によれば、メイン低温ラジエータ（３）にインタークーラ冷却水を流した場合と流さずにメイン低温ラジエータ（３）をバイパスしてインタークーラ冷却水を流した場合とのメイン低温ラジエータ（３）の温度状態を判定することができる。ひいては高温ラジエータ（４）前の空気温度またはインタークーラ冷却水の温度を判定することができる。それにより、流路切替弁９を制御して、高温ラジエータ４の冷却性能の余裕の有無に合致したインタークーラ冷却水の流れを形成できる。
【００２４】
次に、本発明の一つにおいては、温度判定手段（ステップＳ３、Ｓ４３）は、メイン低温ラジエータ（３）の出口水温（Ｔｗ３）と、サブ低温ラジエータ（１）を通過したサブ低温ラジエータ（１）の出口水温（Ｔｗ２）の大きさの比較をおこなう。この比較により、メイン低温ラジエータ（３）にインタークーラ冷却水を流した場合と流さずにメイン低温ラジエータ（３）をバイパスしてインタークーラ冷却水を流した場合とのメイン低温ラジエータ（３）の温度状態を判定する。
【００２５】
この発明によれば、メイン低温ラジエータ（３）にインタークーラ冷却水を流した場合と流さずにメイン低温ラジエータ（３）をバイパスしてインタークーラ冷却水を流した場合とのメイン低温ラジエータ（３）の温度状態を判定することができる。ひいては高温ラジエータ（４）前の空気温度またはインタークーラ冷却水の温度を判定することができる。それにより、流路切替弁（９）を制御して、高温ラジエータ（４）の冷却性能の余裕の有無に合致したインタークーラ冷却水の流れを形成できる。
【００２６】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２７】
【図１】本発明の第１実施形態における車両用冷却装置を成すクーリングモジュールの各ラジエータの配置を示す配置図である。
【図２】図１のサブ低温ラジエータとメイン低温ラジエータとのインタークーラ冷却水の流れを示す冷却水系統図である。
【図３】上記実施形態における車両の想定走行条件と各ラジエータの要求放熱量および冷却性能との関係を示す表である。
【図４】上記実施形態において、制御手段で実行されるフローチャートである。
【図５】上記実施形態において、高温ラジエータの冷却性能に余裕がない場合の説明図である。
【図６】上記実施形態において、高温ラジエータの冷却性能に余裕がない場合の別の局面を示す説明図である。
【図７】上記実施形態において、高圧ラジエータの冷却性能に余裕がある場合の説明図である。
【図８】上記実施形態における、高圧ラジエータの冷却性能に余裕がある場合の別の局面を示す説明図である。
【図９】本発明の第２実施形態における風の流れと低温ラジエータに流れるインタークーラ冷却水の流れを説明する説明図である。
【図１０】上記第２実施形態における制御を説明するフローチャートである。
【図１１】従来公知のクーリングモジュールの各ラジエータの配置とインタークーラ冷却水の流れを示す配置図である。
【図１２】上記従来の低温水回路におけるインタークーラ冷却水の流れを示す冷却水系統図である。
【図１３】図１２の従来構成における具体的なインタークーラ冷却水の流れを示す配管構成図である。
【発明を実施するための形態】
【００２８】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００２９】
各実施形態で具体的に組合せが可能であることを明示している部分同士の組合せばかりではなく、特に組合せに支障が生じなければ、明示していなくても実施形態同士を部分的に組合せることも可能である。
【００３０】
（第１実施形態）
以下、本発明の第１実施形態について図１ないし図８を用いて詳細に説明する。図１は、本発明の第１実施形態における車両用冷却装置を成すクーリングモジュールの各ラジエータの配置を示し、天方向から見下ろした状態を図示している。
【００３１】
車両の走行風は図１の矢印Ｙ１１方向に沿って流れる。車両の走行風を直接的に受けるようにサブ低温ラジエータ（ＳＬＴＲ）１と車両用空調装置の凝縮器（ＣＯＮ）２とが配置されている。凝縮器２は車両用空調装置の冷凍サイクルを構成し、図示しない圧縮機で圧縮された冷媒を凝縮させるものである。
【００３２】
凝縮器２の風流れ下流側には、メイン低温ラジエータ（ＭＬＴＲ）３が配置され、メイン低温ラジエータ３の下流側には、図示しないエンジン４０を冷却する高温ラジエータ（ＨＴＲ）４と冷却ファン５とが配置されている。
【００３３】
図２は、図１のサブ低温ラジエータ１とメイン低温ラジエータ３とのインタークーラ冷却水の流れを示している。車両のエンジン４０（図１）に供給される空気をインタークーラ冷却水にて冷却する水冷インタークーラ６はＷＣＡＣとして図示されている。水冷インタークーラ６から出たインタークーラ冷却水は、低温水回路７の配管を経由してサブ低温ラジエータ１に流れ込む。
【００３４】
サブ低温ラジエータ１から出たインタークーラ冷却水は、メイン低温ラジエータ３とウォータポンプ８を通って水冷インタークーラ６に戻る。水冷インタークーラ６はターボ等の過給機用に吸入空気を冷却する。ここで、インタークーラについて説明する。
【００３５】
ターボ等を総じて「過給機」と言い、これは過剰に吸入空気量を増やし、そのために燃料も増やすが、燃焼を促進し出力を増大化させる。ターボは排気の流速を、スーパーチャージャはエンジン４０の回転力を利用しどちらも出力増大を狙っている。空気は冷やすことにより、より多くエンジン４０内に送ることができ、エンジン４０の圧縮比を高く設定できる。この冷やす作業を水冷で行うのが水冷インタークーラ６である。
【００３６】
エンジン冷却水は、最低でも８０℃程度あるのに対し、吸気の空気温度は４０〜５０℃程度である。よって、インタークーラ冷却水が流れる低温水回路７と、エンジン冷却水が流れる図示しない高温水回路とは別回路に成っている。
【００３７】
図１のように、凝縮器２を流れる風を受けて水冷インタークーラ６を冷却するインタークーラ冷却水が流れるメイン低温ラジエータ３の後ろに高温ラジエータ４が配置されている。そして、メイン低温ラジエータ３を流れる風を受けてエンジン冷却水を高温ラジエータ４が冷却している。
【００３８】
凝縮器２に妨げられない風（走行風等）を受けてインタークーラ冷却水を冷却するサブ低温ラジエータ１が設けられている。水冷インタークーラ６からサブ低温ラジエータ１とメイン低温ラジエータ３とを通り水冷インタークーラ６に戻る低温水回路７が図２のように形成されている。
【００３９】
低水温回路７に設けられサブ低温ラジエータ１からメイン低温ラジエータ３をバイパスして水冷インタークーラ６にインタークーラ冷却水を戻す流路切替弁９が三方弁として構成されて配置されている。この流路切替弁９は、制御装置１０（制御手段１０とも言う）を成すエンジンＥＣＵ（電子制御ユニット）によって制御される。制御手段１０は、エンジンＥＣＵ内のコンピュータ等のハードウエアおよびソフトウエアで構成される。
【００４０】
図３は、車両の想定走行条件と各ラジエータ１、３、４の要求放熱量および冷却性能との関係を示している。図３において、ＬＴＲ（低温ラジエータ）とあるのはサブ低温ラジエータ１とメイン低温ラジエータ３とを示している。ＨＴＲ（高温ラジエータ）と有るのは高温ラジエータ４を示している。
【００４１】
車両の想定走行条件は、３つの場合に区別して説明される。第１区分は、山道等を登る登坂、貨物車やトレーラハウス等を牽引するトーイング（ｔｏｗｉｎｇ）、および高速道路等を走行する高速走行である。
【００４２】
第２区分は、市街地を比較的低速で走行する市街地走行である。第３区分は、アクセルを一杯まで踏み込んで過給する空気量をマックス（Ｖｍａｘ）とした状態を示し、この場合は車速も第１区分の高速走行時よりも大きくなる。
【００４３】
上記各区分１〜３での低温水回路７内のメインおよびサブからなる低温ラジエータ１、３に要求される要求放熱量は、第１区分では中となり、第２区分では小となり、第３区分では大となる。また、エンジン４０を冷却する高温ラジエータ４の冷却性能の余裕度は、第１区分は余裕無しとなる。そして、第２区分では余裕有りとなり、第３区分では走行風量が多いため余裕有り（但し、車両用空調装置が運転されておらず（Ａ／Ｃ  ｏｆｆ）、凝縮器２の発熱がない場合）となる。
【００４４】
従って、第１区分は、高温ラジエータ４を充分に冷却し、高温ラジエータ４の冷却性能を優先すべき区分と成り、第２区分と第３区分とは、水冷インタークーラ６を充分に冷却し、吸気冷却性能を優先すべき区分となる。
【００４５】
第１実施形態では、高温ラジエータ４の冷却性能の余裕度合いを判定して、冷却性能の余裕がある場合と余裕がない場合とに区別する高温ラジエータ４の性能判定手段（後述のステップＳ２）を設けている。これによれば、高温ラジエータ４の冷却性能を優先すべきか、水冷インタークーラ６による吸気冷却性能を優先すべきかが判明する。
【００４６】
図４を用いて、制御手段１０内で実行される制御が説明される。図４において、制御がスタートすると、ステップＳ１において、エンジン冷却水温度ＴｗＥを決定する。これは周知のエンジン冷却水温センサからの実測値を用いることができる。
【００４７】
また、予め実験等で車種毎に決定されメモリに格納されている所定エンジン冷却水温ＴｗＥｐを読み取る。更に、メイン低温ラジエータ３前の空気温度の測定値または推定値Ｔａ１を決定する。空気温度Ｔａ１の決定は、空気温度センサの値を読み取っても、推定しても良い。しかし、この第１実施形態では、空気温度センサの値を読み取ってメイン低温ラジエータ３前の空気温度Ｔａ１を決定するものとして、以下に説明する。
【００４８】
更に、ステップＳ１において、図２のサブ低温ラジエータ１とメイン低温ラジエータ３との間のインタークーラ冷却水の水温Ｔｗ２、つまり、サブ低温ラジエータ１の出口における冷却水温度Ｔｗ２の決定を行う。これは、サブ低温ラジエータ１の出口に設けた冷却水温度センサの値を採用できる。
【００４９】
ステップＳ１の後にステップＳ２に進み、エンジン冷却水温度ＴｗＥと、読み取った所定エンジン冷却水温ＴｗＥｐとの大小関係を判定する。なお、エンジン冷却水温度を実測または推定するエンジン冷却温度決定手段を制御手段１０内に有する。これは、例えば既存のエンジン冷却水温度センサが検出した値を読み取ることで実現できる。
【００５０】
エンジン冷却水温度ＴｗＥが所定エンジン冷却水温ＴｗＥｐよりも大きいときは、ステップＳ３に進む。エンジン冷却水温度ＴｗＥが所定エンジン冷却水温ＴｗＥｐよりも大きいときは、図３において、高温ラジエータ４の冷却性能に余裕がない第１区分の状態であることを示している。
【００５１】
ステップＳ３では、メイン低温ラジエータ３前の空気温度Ｔａ１よりもサブ低温ラジエータ１出口の冷却水温度Ｔｗ２のほうが小さいか（Ｔｗ２＜Ｔａ１か？）否かを判定する。メイン低温ラジエータ３前の空気温度Ｔａ１よりもサブ低温ラジエータ１出口の冷却水温度Ｔｗ２のほうが小さい場合は、メイン低温ラジエータ３による高温ラジエータ４前における空気の冷却が見込まれる。そのため、ステップＳ４にてサブ低温ラジエータ１を通過したインタークーラ冷却水をメイン低温ラジエータ３に流す。
【００５２】
前述のように、ステップＳ３において、メイン低温ラジエータ３前の空気温度Ｔａ１よりもサブ低温ラジエータ１出口の冷却水温度Ｔｗ２のほうが小さいか否かを判定している。その結果、ＮＯと判定され、メイン低温ラジエータ３前の空気温度Ｔａ１以上のサブ低温ラジエータ１出口の冷却水温Ｔｗ２が認められる場合（Ｔｗ２≧Ｔａ１の場合）がある。この場合は、メイン低温ラジエータ３にインタークーラ冷却水を流すことによる高温ラジエータ４前空気の冷却が見込まれないどころか、高温ラジエータ４前の空気が加熱されてしまう。そのため、ステップＳ５において、流路切替弁９を制御して、サブ低温ラジエータ１からメイン低温ラジエータ３をバイパスさせてインタークーラ冷却水を水冷インタークーラ６に流し、高温ラジエータ４の冷却性能を確保する。
【００５３】
以上の状態を、図５および図６にて説明する。図５は、高温ラジエータ４の冷却性能に余裕がなく、高温ラジエータ４の冷却性能の確保が困難な場合（高温ラジエータ４の冷却を優先する必要がある場合）を示している。この図５において、メイン低温ラジエータ３前の空気温度Ｔａ１よりもサブ低温ラジエータ１出口の冷却水温度Ｔｗ２の方が小さい場合（ステップＳ４）におけるインタークーラ冷却水の流れを示している。
【００５４】
図６は、高温ラジエータ４の冷却性能に余裕がなく、高温ラジエータ４の冷却性能の確保が困難な場合（高温ラジエータ４の冷却を優先する必要がある場合）の別の状態（局面）を示している。この図６において、メイン低温ラジエータ３前の空気温度Ｔａ１がサブ低温ラジエータ１出口の冷却水温度Ｔｗ２以下の場合（ステップＳ５）におけるインタークーラ冷却水の流れを示している。
【００５５】
ステップＳ３は、メイン低温ラジエータ３前の空気温度Ｔａ１とサブ低温ラジエータ１出口の冷却水温度Ｔｗ２との比較を行っている。この比較から、メイン低温ラジエータ３にインタークーラ冷却水を流した場合と、流さずにメイン低温ラジエータ３をバイパスしてインタークーラ冷却水を流した場合との、高温ラジエータ４前の空気温度を予測判定している。この高温ラジエータ４前の空気温度は、高温ラジエータ４の冷却性能に影響を与える。
【００５６】
ステップＳ３においてＹＥＳの場合（Ｔｗ２＜Ｔａ１となる図５の場合）は、高温ラジエータ４前における空気の冷却が見込まれる。従って、インタークーラ冷却水のバイパスは行わない。ステップＳ３においてＮＯの場合（Ｔｗ２≧Ｔａ１となる図６の場合）は、高温ラジエータ４前空気の冷却が見込まれないどころか高温ラジエータ４前空気が昇温する。従って、インタークーラ冷却水のバイパスを行なう。
【００５７】
制御手段１０は、高温ラジエータ４の性能判定手段（ステップＳ２）と温度判定手段（ステップＳ３）の判定結果に基づいて、流路切替弁９を制御している。そして、インタークーラ冷却水がメイン低温ラジエータ３内を流れるべきか、メイン低温ラジエータ３をバイパスすべきかを判定し、流路切替弁９に制御信号を与える。
【００５８】
次に、ステップＳ２において、エンジン冷却温度決定手段により決定されたエンジン冷却水の温度ＴｗＥが、予め定めた所定エンジン冷却水温度ＴｗＥｐ以下である場合には、高温ラジエータ４の冷却性能に余裕があると判定し、ステップＳ６に進む。
【００５９】
高温ラジエータ４の冷却性能に余裕があると判定されたステップＳ６の場合に、メイン低温ラジエータ３前の空気温度の測定値Ｔａ１と、サブ低温ラジエータ１を通過したサブ低温ラジエータ１出口の冷却水温度Ｔｗ２とから、流路切替弁９を制御する。
【００６０】
具体的には、ステップＳ６において、ＹＥＳと判定され、メイン低温ラジエータ３前の空気温度の測定値または推定値Ｔａ１の方が、サブ低温ラジエータ１を通過したサブ低温ラジエータ１出口の冷却水温度Ｔｗ２より低い場合には、ステップＳ７に進む。ステップＳ７においては、インタークーラ冷却水の冷却性能が確保できる場合であると判定し、ステップＳ７において、サブ低温ラジエータ１からメイン低温ラジエータ３を経由して水冷インタークーラ６にインタークーラ冷却水を戻す。これにより、インタークーラ冷却水温を低減し、従来技術と同等の吸気冷却性能を維持できる。
【００６１】
ステップＳ６において、ＮＯと判定され、メイン低温ラジエータ３前における空気温度の測定値Ｔａ１が、サブ低温ラジエータ１を通過したサブ低温ラジエータ１出口の冷却水温度（Ｔｗ２）以上の場合には、ステップＳ８に進む。ステップＳ８においては、インタークーラ冷却水の水温上昇を防止するため、バイパス回路７ｂ（図２）を使用して、サブ低温ラジエータ１から直接的に水冷インタークーラ６にインタークーラ冷却水を戻す。
【００６２】
次に、図７および図８を用いて、上記フローチャートの各場合について説明する。図７は、高圧ラジエータの冷却性能に余裕がある場合を示している。かつ、メイン低温ラジエータ３前の空気温度の測定値または推定値Ｔａ１と、サブ低温ラジエータ１を通過したサブ低温ラジエータ１出口の冷却水温度Ｔｗ２との関係が、Ｔｗ２＞Ｔａ１であるステップＳ７の場合を示している。そして、この場合の、風の流れと低温ラジエータに流れるインタークーラ冷却水の流れを説明している。
【００６３】
すなわち図７は、ステップＳ７の処理が行われた結果を示している。この場合は、サブ低温ラジエータ１を通過したインタークーラ冷却水をメイン低温ラジエータ３を通して更に冷却した後に水冷インタークーラ６へ送る。これにより、インタークーラ冷却水の冷却水温をメイン低温ラジエータ３で更に低減し、従来技術と同等程度の吸気冷却性能を維持することができる。
【００６４】
図８は、高圧ラジエータ４の冷却性能に余裕がある場合を示している。かつ、メイン低温ラジエータ３前の空気温度Ｔａ１と、サブ低温ラジエータ１の出口水温Ｔｗ２との関係が、Ｔｗ２≦Ｔａ１であるステップＳ８の場合を示している。そして、この場合の、風の流れと低温ラジエータ１、３に流れるインタークーラ冷却水の流れを説明している。
【００６５】
すなわち図８は、ステップＳ８の処理が行われた結果を示している。この場合は、サブ低温ラジエータ１を通過したインタークーラ冷却水がバイパス回路７ｂにて直接的に水冷インタークーラ６へ流れる。これにより、メイン低温ラジエータ３での水温上昇を防止して、従来技術と同等の車両の加速レスポンスを維持することができる。
【００６６】
（第１実施形態の作用効果）
上記第１実施形態の車両用冷却装置においては、車両のエンジン４０に供給される空気をインタークーラ冷却水にて冷却する水冷インタークーラ６と、車両の車室内を空調する車両用空調装置の凝縮器２とを備える。かつ、凝縮器２を流れる風の後流側に配置されインタークーラ冷却水が流れるメイン低温ラジエータ３と、メイン低温ラジエータ３を流れる風の後流側に配置されエンジン４０を冷却するエンジン冷却水が流れる高温ラジエータ４とを備える。また、凝縮器２を通過しない風と熱交換してインタークーラ冷却水を冷却するサブ低温ラジエータ１と、水冷インタークーラ６、サブ低温ラジエータ１、メイン低温ラジエータ３を順に一巡して構成される低温水回路７とを備える。更に、低水温回路７に設けられ、サブ低温ラジエータ１からメイン低温ラジエータ３をバイパスして水冷インタークーラ６にインタークーラ冷却水を戻す流路と、サブ低温ラジエータ１からメイン低温ラジエータ３を通過して水冷インタークーラ６にインタークーラ冷却水を戻す流路とを切替える流路切替弁９を備える。なおかつ、流路切替弁９を制御する制御手段１０を備える。
【００６７】
これによれば、メイン低温ラジエータ３の風流れ後方に高温ラジエータ４が配置されているため、メイン低温ラジエータ３の温度状態が高温に成ると、後方の高温ラジエータ４の性能が発揮されない。そこで、水冷インタークーラ６を流れる冷却水がサブ低温ラジエータ１を通り、メイン低温ラジエータ３をバイパスするように流す構成を採用している。これにより、高排気量の過給機付のエンジン４０が使用された場合等でも、水冷インタークーラ６を流れる冷却水がサブ低温ラジエータ１を通り、メイン低温ラジエータ３をバイパスする。よって、メイン低温ラジエータ３が高温にならない。
【００６８】
従って、高温ラジエータ４の冷却性能を確保できる。また、凝縮器２に妨げられない風を受けてインタークーラ冷却水を冷却するサブ低温ラジエータ１を設けて冷却水を冷やしている。このため、車両用空調装置の熱負荷の影響を受けにくくなり、車両用空調装置が作動して凝縮器２の温度が上昇した場合においても、加速レスポンスおよび吸気冷却性能を維持することができる。
【００６９】
次に、上記第１実施形態においては、制御手段１０は、性能判定手段となるステップＳ２、Ｓ４２と温度判定手段となるステップＳ３、Ｓ４３とを備える。性能判定手段は、高温ラジエータ４の冷却性能の余裕度合いを判定して冷却性能の余裕がある場合と余裕が無い場合とを判定する。温度判定手段は、メイン低温ラジエータ３にインタークーラ冷却水を流した場合と流さずにメイン低温ラジエータ３をバイパスしてインタークーラ冷却水を流した場合とのメイン低温ラジエータ３の温度状態を判定する。そして、性能判定手段と温度判定手段との判定結果に基づいて、制御手段１０が流路切替弁９を制御する。
【００７０】
これによれば、高温ラジエータ４に関して冷却性能の余裕がある場合と余裕がない場合とを判定することができる。また、メイン低温ラジエータ３にインタークーラ冷却水を流した場合と、バイパスして流さなかった場合とのメイン低温ラジエータ３の温度状態、ひいては高温ラジエータ４前の空気温度またはインタークーラ冷却水の温度を判定することができる。それにより、高温ラジエータ４の冷却性能判定結果とメイン低温ラジエータ３の温度判定結果に基づいて、流路切替弁９を制御して、高温ラジエータ４の冷却性能の余裕の有無に合致したインタークーラ冷却水の流れを形成できる。
【００７１】
次に、上記第１実施形態においては、更に、エンジン冷却水の温度ＴｗＥを実測または推定するエンジン冷却温度決定手段を成すステップＳ１を有する。性能判定手段となるステップＳ２、Ｓ４２は、エンジン冷却温度決定手段により決定されたエンジン冷却水の温度ＴｗＥが、予め定めた所定エンジン冷却水温度ＴｗＥｐより高い場合に、高温ラジエータ４の冷却性能に余裕が無いと判定する。一方、エンジン冷却温度決定手段により決定されたエンジン冷却水の温度ＴｗＥが、所定エンジン冷却水温度ＴｗＥｐ以下の場合に、高温ラジエータ４の冷却性能に余裕が有ると判定する。
【００７２】
これによれば、エンジン冷却温度決定手段により決定されたエンジン冷却水の温度ＴｗＥと、予め定めた所定エンジン冷却水温度ＴｗＥｐとの比較により容易に高温ラジエータ４の冷却性能に余裕が無い場合と、冷却性能に余裕が有る場合とを判定ことができる。
【００７３】
次に、上記第１実施形態においては、温度判定手段となるステップＳ３、Ｓ４３は、メイン低温ラジエータ３前の空気温度の測定値または推定値Ｔａ１と、サブ低温ラジエータ１を通過したサブ低温ラジエータ１の出口水温Ｔｗ２とを比較する。この比較により、メイン低温ラジエータ３にインタークーラ冷却水を流した場合と流さずにメイン低温ラジエータ３をバイパスしてインタークーラ冷却水を流した場合とのメイン低温ラジエータ３の温度状態を判定する。
【００７４】
これによれば、メイン低温ラジエータ３にインタークーラ冷却水を流した場合と流さずにメイン低温ラジエータ３をバイパスしてインタークーラ冷却水を流した場合とのメイン低温ラジエータ３の温度状態を判定できる。ひいては高温ラジエータ４前の空気温度またはインタークーラ冷却水の温度を判定することができる。それにより、流路切替弁９を制御して、高温ラジエータ４の冷却性能の余裕の有無に合致したインタークーラ冷却水の流れを形成できる。
【００７５】
次に、上記第１実施形態では、性能判定手段を成すステップＳ２、Ｓ４２が、高温ラジエータ４の冷却性能に余裕が無いと判定した場合において、制御手段１０は、次の制御を行う。つまり、メイン低温ラジエータ３前の空気温度の測定値または推定値Ｔａ１の方が、サブ低温ラジエータ１を通過したサブ低温ラジエータ１の出口水温Ｔｗ２よりも大きいかどうか判定している。そして大きい場合に、サブ低温ラジエータ１からメイン低温ラジエータ３を介して水冷インタークーラ６にインタークーラ冷却水を戻す。
【００７６】
これによれば、メイン低温ラジエータ３前の空気温度の測定値または推定値Ｔａ１の方が、サブ低温ラジエータ１を通過したサブ低温ラジエータ１の出口水温Ｔｗ２よりも大きいか否かを判定している。そして大きい場合に、メイン低温ラジエータ３内にインタークーラ冷却水を流して高温ラジエータ４前の空気温度を低減させ、高温ラジエータ４の冷却性能が確保されるのを補助することができる。
【００７７】
また、性能判定手段となるステップＳ２、Ｓ４２が、高温ラジエータ４の冷却性能に余裕が無いと判定した場合において、制御手段１０は、次の制御を行う。つまり、メイン低温ラジエータ３前の空気温度の測定値または推定値Ｔａ１の方が、サブ低温ラジエータ１を通過したサブ低温ラジエータ１の出口水温Ｔｗ２以下である場合に、バイパス制御が行われる。この制御は、サブ低温ラジエータ１からメイン低温ラジエータ３をバイパスして水冷インタークーラ６にインタークーラ冷却水を戻す。
【００７８】
これによれば、メイン低温ラジエータ３前の空気温度の測定値または推定値Ｔａ１の方が、サブ低温ラジエータ１を通過したサブ低温ラジエータ１の出口水温Ｔｗ２以下であるか否かを判定している。そして以下である場合に、メイン低温ラジエータ３内をインタークーラ冷却水を流した場合の高温ラジエータ４前の空気温度の上昇を考慮して、メイン低温ラジエータ３をバイパスさせる。それにより、高温ラジエータ４の冷却性能の確保を優先させることができる。
【００７９】
次に、上記第１実施形態では、性能判定手段となるステップＳ２、Ｓ４２が、高温ラジエータ４の冷却性能に余裕が有ると判定した場合において、制御手段１０は、次の制御を行う。つまり、メイン低温ラジエータ３前の空気温度の測定値または推定値Ｔａ１の方が、サブ低温ラジエータ１を通過したサブ低温ラジエータ１の出口水温Ｔｗ２より小さい場合に、次の判定を行う。つまり、メイン低温ラジエータ３によるインタークーラ冷却水の冷却が確保できる場合であると判定する。そして、サブ低温ラジエータ１からメイン低温ラジエータ３を介して水冷インタークーラ６にインタークーラ冷却水を戻す。
【００８０】
これによれば、メイン低温ラジエータ３前の空気温度の測定値または推定値Ｔａ１の方が、サブ低温ラジエータ１を通過したサブ低温ラジエータ１の出口水温Ｔｗ２より小さいか否かを判定している。そして小さい場合に、メイン低温ラジエータ３をインタークーラ冷却水が流れるようにしている。その理由は、メイン低温ラジエータ３内にインタークーラ冷却水を流せばインタークーラ冷却水の冷却効果が増すためである。これにより、吸気冷却性能の確保を優先させることができる。
【００８１】
また、性能判定手段となるステップＳ２、Ｓ４２が、高温ラジエータ４の冷却性能に余裕が有ると判定した場合において、制御手段１０は、次の制御を行う。つまり、メイン低温ラジエータ３前の空気温度の測定値または推定値Ｔａ１が、サブ低温ラジエータ１を通過したサブ低温ラジエータ１の出口水温Ｔｗ２以上であるかどうか判定する。そして以上である場合に、メイン低温ラジエータ３によるインタークーラ冷却水の冷却が確保し難い場合であると判定する。そして、サブ低温ラジエータ１からメイン低温ラジエータ３をバイパスして水冷インタークーラ６にインタークーラ冷却水を戻す。
【００８２】
これによれば、メイン低温ラジエータ３前の空気温度の測定値または推定値Ｔａ１が、サブ低温ラジエータ１を通過したサブ低温ラジエータ１の出口水温Ｔｗ２以上であるか否かを判定している。そして以上である場合に、メイン低温ラジエータ３をインタークーラ冷却水がバイパスするようにして、インタークーラの冷却を維持している。その理由は、メイン低温ラジエータ３にインタークーラ冷却水を流してもインタークーラ冷却水の冷却効果が無く逆効果であるためである。これにより、車両加速時におけるレスポンス性能を従来技術と同等レベルに維持することができる。
【００８３】
（第２実施形態）
次に、本発明の第２実施形態について説明する。なお、以降の各実施形態においては、上述した第１実施形態と同一の構成要素には同一の符号を付して説明を省略し、異なる構成について説明する。なお、第２実施形態以下については、第１実施形態と同じ符号は、同一の構成を示すものであって、先行する説明が援用される。
【００８４】
図９は、本発明の第２実施形態における風の流れと低温ラジエータ１、３に流れるインタークーラ冷却水の流れを示している。図９および図１０を用いて、本発明の第２実施形態における制御を説明する。第２実施形態は、サブ低温ラジエータ１の出口水温Ｔｗ２とメイン低温ラジエータ３にインタークーラ冷却水を流した際のメイン低温ラジエータ３の出口水温Ｔｗ３との比較で、バイパスするかしないかの流路を流路切替弁９にて切り替えるものである。
【００８５】
図１０において制御がスタートすると、基本作動を所定時間実行する。この基本作動とは、水冷インタークーラ６からサブ低温ラジエータ１とメイン低温ラジエータ３を介してインタークーラ冷却水を流して、水冷インタークーラ６に戻すことである。このステップＳ４０の作動を所定時間実行した後にステップＳ４１に進む。なお、水冷インタークーラ６からサブ低温ラジエータ１とメイン低温ラジエータ３を介してインタークーラ冷却水を流す作動はそのまま継続していてもよい。
【００８６】
ステップＳ４１では、エンジン冷却水温度ＴｗＥを決定する。これは周知のエンジン冷却水温センサからの実測値を用いることができる。また、予め実験等で車種毎に決定されメモリに格納されている所定エンジン冷却水温ＴｗＥｐを読み取る。
【００８７】
かつ、サブ低温ラジエータ１とメイン低温ラジエータ３との間のインタークーラ冷却水の水温、つまり、サブ低温ラジエータ１出口の冷却水温度Ｔｗ２の決定を行う。更に、メイン低温ラジエータ３の出口水温Ｔｗ３を決定する。これらの水温Ｔｗ２、Ｔｗ３の決定は、ステップＳ４０の基本作動後の水温センサの値を実測する。
【００８８】
ステップＳ４１の後にステップＳ４２に進み、エンジン冷却水温度ＴｗＥと、読み取った所定エンジン冷却水温ＴｗＥｐとの大小関係を判定する。エンジン冷却水温度ＴｗＥが所定エンジン冷却水温ＴｗＥｐよりも大きいときは、ステップＳ４３に進む。エンジン冷却水温度ＴｗＥが所定エンジン冷却水温ＴｗＥｐよりも大きいときは、図３において、高温ラジエータ４に冷却性能に余裕がない第１区分の状態であることを示している。
【００８９】
次の、ステップＳ４３では、サブ低温ラジエータ１の出口水温Ｔｗ２とメイン低温ラジエータ３にインタークーラ冷却水を流した際のメイン低温ラジエータ３の出口水温Ｔｗ３との比較を行う。
【００９０】
ステップＳ４３において、メイン低温ラジエータ３の出口水温Ｔｗ３よりもサブ低温ラジエータ１の出口水温Ｔｗ２のほうが小さいか否かを判定する。メイン低温ラジエータ３の出口水温Ｔｗ３よりもサブ低温ラジエータ１の出口水温Ｔｗ２のほうが小さい場合は、インタークーラ冷却水をメイン低温ラジエータ３に流し続け、バイパスさせない。その理由は、メイン低温ラジエータ３による高温ラジエータ４前の空気の冷却が見込まれるためである。このため、ステップＳ４４にて、サブ低温ラジエータ１を通過したインタークーラ冷却水をメイン低温ラジエータ３に流す。
【００９１】
ステップＳ４３において、メイン低温ラジエータ３の出口水温Ｔｗ３よりもメイン低温ラジエータ３の出口水温Ｔｗ２のほうが小さいか否かを判定した結果、ＮＯと判定された場合Ｔｗ２≧Ｔｗ３）は、メイン低温ラジエータ３で放熱した場合である。
【００９２】
このように、メイン低温ラジエータ３の出口水温Ｔｗ３以上のサブ低温ラジエータ１の出口水温Ｔｗ２である場合は、メイン低温ラジエータ３による高温ラジエータ４前空気の冷却が見込まれない。そのため、ステップＳ４５において、流路切替弁９を制御して、メイン低温ラジエータ３をバイパスさせてインタークーラ冷却水を流している。
【００９３】
次に、ステップＳ４２において、エンジン冷却温度決定手段により決定されたエンジン冷却水の温度ＴｗＥが、予め定めた所定エンジン冷却水温度ＴｗＥｐ以下である場合には、高温ラジエータ４の冷却性能に余裕があると判定し、ステップＳ４６に進む。
【００９４】
ステップＳ４６では、メイン低温ラジエータ３の出口水温Ｔｗ３と、サブ低温ラジエータ１を通過したサブ低温ラジエータ１の出口水温Ｔｗ２とから、流路切替弁９を制御する。
【００９５】
具体的には、ステップＳ４６において、ＹＥＳと判定され、メイン低温ラジエータ３の出口水温Ｔｗ３の方が、サブ低温ラジエータ１を通過したサブ低温ラジエータ１の出口水温Ｔｗ２より低い場合には、ステップＳ４７に進む。ステップＳ４７においては、インタークーラ冷却水の冷却性能が確保できる場合であると判定し、サブ低温ラジエータ１からメイン低温ラジエータ３を経由して水冷インタークーラ６にインタークーラ冷却水を戻す。
【００９６】
ステップＳ４６において、ＮＯと判定され、メイン低温ラジエータ３の出口水温Ｔｗ３が、サブ低温ラジエータ１の出口水温Ｔｗ２以上の場合には、ステップＳ４８に進む。ステップＳ４８においては、インタークーラ冷却水の水温上昇を防止するため、サブ低温ラジエータ１からメイン低温ラジエータ３をバイパスして直接的に水冷インタークーラ６にインタークーラ冷却水を戻す。
【００９７】
（第２実施形態の作用効果）
上記第２実施形態においては、図１１、図１２、図１３に示した従来構成と比較して以下に述べる作用効果を有する。温度判定手段となるステップＳ３、Ｓ４３は、メイン低温ラジエータ３を通過したメイン低温ラジエータ３の出口水温Ｔｗ３と、サブ低温ラジエータ１を通過したサブ低温ラジエータ１の出口水温Ｔｗ２の大きさの比較を行う。そして、この比較により、次の制御を行う。つまり、メイン低温ラジエータ３にインタークーラ冷却水を流した場合と流さずにメイン低温ラジエータ３をバイパスしてインタークーラ冷却水を流した場合とのメイン低温ラジエータ３の温度状態を判定する。
【００９８】
これによれば、メイン低温ラジエータ３にインタークーラ冷却水を流した場合と流さずにメイン低温ラジエータ３をバイパスしてインタークーラ冷却水を流した場合とのメイン低温ラジエータ３の温度状態が判定される。ひいては高温ラジエータ４前の空気温度またはインタークーラ冷却水の温度を判定することができる。それにより、流路切替弁９を制御して、高温ラジエータ４の冷却性能の余裕の有無に合致したインタークーラ冷却水の流れを形成できる。
【００９９】
次に、上記第２実施形態においては、性能判定手段となるステップＳ２、Ｓ４２が、高温ラジエータ４の冷却性能に余裕が無いと判定した場合において、制御手段１０は、次の制御を行う。つまり、メイン低温ラジエータ３を通過したメイン低温ラジエータ３の出口水温Ｔｗ３の方が、サブ低温ラジエータ１を通過したサブ低温ラジエータ１の出口水温Ｔｗ２よりも大きいかどうか判定する。そして、大きい場合に、サブ低温ラジエータ１からメイン低温ラジエータ３を介して水冷インタークーラ６にインタークーラ冷却水を戻す。
【０１００】
これによれば、メイン低温ラジエータ３を通過したメイン低温ラジエータ３の出口水温Ｔｗ３の方が、サブ低温ラジエータ１を通過したサブ低温ラジエータ１の出口水温Ｔｗ２よりも大きいか否かを判定している。そして大きい場合に、メイン低温ラジエータ３内にインタークーラ冷却水を流して高温ラジエータ４前の空気温度を低減させ、高温ラジエータ４の冷却性能が確保されるのを補助することができる。
【０１０１】
また、性能判定手段となるステップＳ２、Ｓ４２が、高温ラジエータ４の冷却性能に余裕が無いと判定した場合において、制御手段１０は、次の制御を行う。メイン低温ラジエータ３を通過したメイン低温ラジエータ３の出口水温Ｔｗ３の方が、サブ低温ラジエータ１を通過したサブ低温ラジエータ１の出口水温Ｔｗ２以下であるか判定する。そして、出口水温Ｔｗ２以下である場合に、サブ低温ラジエータ１からメイン低温ラジエータ３をバイパスして水冷インタークーラ６にインタークーラ冷却水を戻す。
【０１０２】
これによれば、メイン低温ラジエータ３を通過したメイン低温ラジエータ３の出口水温Ｔｗ３の方が、サブ低温ラジエータ１を通過したサブ低温ラジエータ１の出口水温Ｔｗ２以下であるか否かを判定している。そして以下である場合に、メイン低温ラジエータ３内にインタークーラ冷却水を流した場合の高温ラジエータ４前の空気温度の上昇を考慮して、メイン低温ラジエータ３をバイパスさせる。それにより、高温ラジエータ４の冷却性能の確保を優先させることができる。
【０１０３】
更に、性能判定手段となるステップＳ２、Ｓ４２が、高温ラジエータ４の冷却性能に余裕が有ると判定した場合において、制御手段１０は、次の制御を行う。つまり、メイン低温ラジエータ３の出口水温Ｔｗ３の方が、サブ低温ラジエータ１を通過したサブ低温ラジエータ１の出口水温Ｔｗ２より小さい場合に、メイン低温ラジエータ３によるインタークーラ冷却水の冷却が確保できる場合であると判定する。そして、サブ低温ラジエータ１からメイン低温ラジエータ３を介して水冷インタークーラ６にインタークーラ冷却水を戻す。
【０１０４】
これによれば、メイン低温ラジエータ３の出口水温Ｔｗ３の方が、サブ低温ラジエータ１を通過したサブ低温ラジエータ１の出口水温Ｔｗ２より小さいか否かを判定している。そして小さい場合に、メイン低温ラジエータ３をインタークーラ冷却水が流れるようにしている。その理由は、メイン低温ラジエータ３内にインタークーラ冷却水を流せばインタークーラ冷却水の冷却効果が増すためである。これにより、吸気冷却性能の確保を優先させることができる。
【０１０５】
次に上記第２実施形態においては、性能判定手段となるステップＳ２、Ｓ４２が、高温ラジエータ４の冷却性能に余裕が有ると判定した場合において、制御手段１０は、次の制御を行う。つまり、メイン低温ラジエータ３を通過したメイン低温ラジエータ３の出口水温Ｔｗ３が、サブ低温ラジエータ１を通過したサブ低温ラジエータ１の出口水温Ｔｗ２以上であるか判定する。そして、以上である場合に、メイン低温ラジエータ３によるインタークーラ冷却水の冷却性能が確保し難い場合であると判定する。そして、サブ低温ラジエータ１からメイン低温ラジエータ３をバイパスして水冷インタークーラ６にインタークーラ冷却水を戻す。
【０１０６】
これによれば、メイン低温ラジエータ３を通過したメイン低温ラジエータ３の出口水温Ｔｗ３が、サブ低温ラジエータ１を通過したサブ低温ラジエータ１の出口水温Ｔｗ２以上であるか否かを判定している。そして以上である場合に、メイン低温ラジエータ３をインタークーラ冷却水がバイパスするようにして、インタークーラの冷却を維持している。その理由は、メイン低温ラジエータ３内にインタークーラ冷却水を流してもインタークーラ冷却水の冷却効果が無く逆効果であるためである。これにより、車両加速時のレスポンス性能を従来技術と同等レベルに維持することができる。
【０１０７】
他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【０１０８】
上記実施形態においては、メイン低温ラジエータ３前の空気温度Ｔａ１を推定する場合は、車両外部の温度である外気温Ｔａｍ、凝縮器２内の冷媒温度、および、車速を考慮して推定できる。
【符号の説明】
【０１０９】
１  サブ低温ラジエータ
３  メイン低温ラジエータ
９  流路切替弁
ステップＳ２、Ｓ４２  高温ラジエータの性能判定手段
ステップＳ３、Ｓ４３  メイン低温ラジエータの温度状態を判定する温度判定手段
Ｔａ１  空気温度
ＴｗＥ  エンジン冷却水の温度
ＴｗＥｐ  予め定めた所定エンジン冷却水温度
Ｔｗ２  サブ低温ラジエータの出口水温
Ｔｗ３  メイン低温ラジエータの出口水温
【図１】
0006011474.tif 000002
【図２】
0006011474.tif 000003
【図３】
0006011474.tif 000004
【図４】
0006011474.tif 000005
【図５】
0006011474.tif 000006
【図６】
0006011474.tif 000007
【図７】
0006011474.tif 000008
【図８】
0006011474.tif 000009
【図９】
0006011474.tif 000010
【図１０】
0006011474.tif 000011
【図１１】
0006011474.tif 000012
【図１２】
0006011474.tif 000013
【図１３】
0006011474.tif 000014